(57)【要約】【課題】  音声出力機能を兼ね備え、音声信号の出力品質を調整・制御することができ、電源制御と光線明暗調節とが可能で、ランプの付加価値を増進する音声出力装置付ランプの提供。【解決手段】  本考案の音声出力装置付ランプは、ランプ本体１、音声出力装置２の部分を含み、ランプ本体１内に光源体１２を設け、光源体１２は別途設けた制御ユニットの制御を受けて電源のオン／オフ、光線の明暗調節等の動作を行い、ランプ本体１底部に座部１１を設け、音声出力装置２は座部１１内に設置されたスピーカ２１及び座部１１周縁部に設置された音源挿入孔２２を含み、且つ必要に応じてスピーカ２１に複数の音声制御ボタン２５と音源制御ボタン２４が接続された増幅・制御回路を接続し、スピーカ２１は直接または間接的に（増幅・制御回路による処理を経る）予め設けた音源信号を受信して音声を発生し、外部に向かって拡散する。【選択図】  図１
0003115058.tif 000002
【実用新案登録請求の範囲】
【請求項１】
ランプ本体と音声出力装置とを含み、
上記ランプ本体内部に光源体を設置し、
上記光源体は制御を受けて光線を発生することができ、
上記ランプ本体の底部に座部を設け、
上記音声出力装置はスピーカ及び音源接続部材を含み、
上記スピーカを上記ランプ本体の座部内に設置し、直接または間接的に外部に通じさせ、
上記音源接続部材は外部音源を接続することができ、上記スピーカが予め設置された音源の信号を受信し、音声を発生して外部に向かって拡散する音声出力装置付ランプ。
【請求項２】
さらに、上記スピーカと上記音源接続部材との間に増幅・制御回路を設け、
上記増幅・制御回路に複数の音声出力スイッチ、音源制御ボタンを接続し、上記音声信号の出力品質を調整、制御することができることを特徴とする請求項１に記載の音声出力装置付ランプ。
【請求項３】
上記光源体にランプスイッチとランプ調節つまみとを接続し、上記光源体の電源のオン／オフ制御及び光線の明暗調節を行うことを特徴とする請求項１に記載の音声出力装置付ランプ。
【請求項４】
上記音源接続部材が、音源挿入孔または音源プラグであることを特徴とする請求項１に記載の音声出力装置付ランプ。
【請求項５】
上記記音源挿入孔が、ＵＳＢメスコネクタまたはＡＶ端子ジャックであることを特徴とする請求項４に記載の音声出力装置付ランプ。
【考案の詳細な説明】
【技術分野】
【０００１】
本考案は音声出力装置付ランプに関し、詳細には、音声増幅及び出力機能を備えた音声出力装置付ランプに関する。
【背景技術】
【０００２】
従来のランプの構造は、そのほとんどが中空の透光性殼体を光源体（電球）が設置されたランプ座体上に設置するだけであり、消費者を引き付ける力を向上するため、多くがランプの外観デザイン上に創作・変化を継続的に加えたり、機能上調光機能やタッチスイッチ機能などを加えたりしている。
【考案の開示】
【考案が解決しようとする課題】
【０００３】
しかしながら、現代の消費市場の劇烈な競争に直面し、上述のような従来のランプ製品は、実質上競争力を向上する有効な手段に欠けており、このため、いかに製品の付加価値を増進させるかが、関連業界が努力を続ける課題となっている。
【０００４】
従来のランプの構造における上述の欠点に鑑みて、本考案はこれら欠点に対して研究を重ね、本考案が生まれることとなった。
【０００５】
本考案の主な目的は、主にランプ本体の底部に座部を設け、この座部内にスピーカを設置し、且つこのスピーカを直接的または間接的に（座部上に設けたスピーカ孔を介して）外部に通じさせ、このスピーカにより予め設けた音源信号を受信し、音声を外部に向かって拡散し、ランプ本体とスピーカとの結合により、音声出力機能を兼ね備えたランプを形成し、その付加価値を増進する音声出力装置付ランプを提供することにある。
【０００６】
本考案の別の目的は、スピーカと音源との間に増幅・制御回路を設け、且つこの増幅・制御回路に複数の音声制御ボタンと音源制御ボタンとを接続し、音声信号の出力品質を調整・制御することができる音声出力装置付ランプを提供することにある。
【０００７】
本考案のさらに別の目的は、ランプ本体にランプスイッチ及びランプ調節つまみを設け、電源のオン／オフ制御と光線の明暗調節とを可能にし、効果的にランプそのものの制御機能を向上させる音声出力装置付ランプを提供することにある。
【課題を解決するための手段】
【０００８】
本考案の音声出力装置付ランプは、主にランプ本体、音声出力装置等の部分を含み、該ランプ本体内に光源体を設け、この光源体は別途設けた制御ユニットの制御を受けて電源のオン／オフ、光線の明暗調節等の動作を行い、ランプ本体底部に座部を設け、音声出力装置は少なくとも該座部内に設置されたスピーカ及び座部周縁部に設置された音源挿入孔から成り、且つ必要に応じて、このスピーカに複数の音声制御ボタンと音源制御ボタンとが接続された増幅・制御回路を接続し、このスピーカは直接または間接的に（増幅・制御回路による処理を経る）予め設けた音源信号を受信して音声を発生し、外部に向かって拡散する、ランプ本体とスピーカとを結合して成るものである。
【考案の効果】
【０００９】
本考案に係る音声出力装置付ランプは、以上のように、音声出力機能を兼ね備えているので、音声信号の出力品質を調整・制御することができ、電源制御と光線明暗調節とが可能である。よって、ランプの付加価値を増進させた音声出力装置付ランプを提供することができるという効果を奏する。
【考案を実施するための最良の形態】
【００１０】
本考案の詳細な構造、応用原理、作用及び効果については、以下の図面に基づく詳細な説明を参照すると、完全に理解することができる。
【００１１】
〔実施の形態１〕
図１に本考案の実施の形態１の斜視図を示す。図１から分かるように、本考案の実施の形態１は主にランプ本体１、音声出力装置２等の部分を含み、そのうち、ランプ本体１の底部に座部１１を設け、この座部１１の周縁部に外部に向かって延伸された電源コード１３及びランプスイッチ１４、ランプ調節つまみ１５を設け、ランプ本体１内に設置された光源体１２を制御し、電源のオン／オフまたは光線の明暗調節等の動作を行う。
【００１２】
音声出力装置２は、スピーカ２１をランプ本体１の座部１１側面に嵌装して直接外部と通じさせ、さらにこのスピーカ２１を座部１１内に設置した増幅・制御回路（図示せず）に接続すると共に、この増幅・制御回路に音源挿入孔２２（ＵＳＢメスコネクタ）、音声出力スイッチ２３及び複数の音源制御ボタン２４、音声制御ボタン２５を接続し、予め設けた外部音源の信号を音源挿入孔２２に直接接続し、音源制御ボタン２４と音声制御ボタン２５とを介してその音声信号を調節・制御でき、且つその音声信号を適切に増幅した後、スピーカ２１により音声に変換して外部へ向かって拡散する。こうしてランプ本体１と音声出力装置２とが結合され、音声出力機能を備えたランプが形成される。
【００１３】
〔実施の形態２〕
図２に本考案の実施の形態２の斜視図を示す。図２から分かるように、本考案の実施の形態２の構造は主に、ランプ本体１０、音声出力装置２０等の部分を含み、そのうち、ランプ本体１０の底部に座部１０１を設け、この座部１０１の周縁部に１つ以上のスピーカ孔１０１１を開設し、さらに外部に向かって延伸された電源コード１３及びランプスイッチ１４、ランプ調節つまみ１５を設け、ランプ本体１０内に設置された光源体１２を制御し、電源のオン／オフまたは光線の明暗調節等の動作を行う。
【００１４】
音声出力装置２０は、相互に接続されたスピーカと増幅・制御回路とを前述のランプ本体１０の座部１０１内に設置し、スピーカ孔１０１１を介してスピーカを外部に通じさせると共に、増幅・制御回路に音声出力スイッチ２３及び音源プラグ２０２（ＡＶ端子プラグ）を接続し、この音源プラグ２０２を予め設けた音源孔に挿入して接続し、外部音源信号を受信して、増幅・制御回路によりその音声信号を適切に増幅した後、スピーカで音声に変換し、外部に向かって拡散する。
【００１５】
〔実施の形態３〕
図３に本考案の実施の形態３の斜視図を示す。図３から分かるように、本考案の実施の形態３の構造において、ランプ本体１０は、前述の実施の形態２と同じ座部１０１、スピーカ孔１０１１、光源体１２等の構造を備えているが、その外部に向かって延伸された電源コード１０３はその中段部にスイッチ機能を備えた調光可変抵抗器１０４を備え、これにより光源体１２の電源のオン／オフまたは光線の明暗調節等の動作を制御する。その音声出力装置は、スピーカを音源挿入孔２２に接続し、この音源挿入孔２２から外部音源信号を入力し、スピーカで音声に変換し、外部に向かって拡散する。
【００１６】
本考案は上述の実施の形態３の構造において、必要に応じ、スピーカ及び音源挿入孔２２間に増幅・制御回路を設置し、音源挿入孔２２が入力する音声信号を適切に増幅することもできる。
【００１７】
上述したように、本考案の音声出力装置付ランプの構造は、照明と音声増幅・出力機能を確実に兼ね備え、産業的利用価値と、新規性、進歩性の条件とを確かに兼ね備えている。
【００１８】
但し、以上の説明は、本考案の最良の実施の形態に基づくものであり、本考案の実施の範囲を制限するものではなく、本考案の請求の範囲に基づくあらゆる変化や修飾もすべて本考案の範囲に含まれるものとみなす。
【産業上の利用可能性】
【００１９】
本考案の音声出力装置付ランプは、照明と音声増幅・出力機能を備えているため、家庭用から宣伝広告等の商業設備にいたる様々な照明の分野に好適に用いることができる。
【図面の簡単な説明】
【００２０】
【図１】本考案の実施の形態１の斜視図である。
【図２】本考案の実施の形態２の斜視図である。
【図３】本考案の実施の形態３の斜視図である。
【符号の説明】
【００２１】
１，１０        ランプ本体
１１，１０１    座部
１０１１        スピーカ孔
１２            光源体
１３，１０３    電源コード
１４            ランプスイッチ
１０４          調光可変抵抗器
１５            ランプ調節つまみ
２，２０        音声出力装置
２１            スピーカ
２２            音源挿入孔
２０２          音源プラグ
２３            音声出力スイッチ
２４            音源制御ボタン
２５            音声制御ボタン
【図１】
0003115058.tif 000003
【図２】
0003115058.tif 000004
【図３】
0003115058.tif 000005